(57)【要約】【課題】階段の段鼻部に、滑り止めや暗所で視認できる蓄光材を埋設する等のための溝を、職人技に過度に依存することなしに、任意の位置で、簡便に精度良く切削加工が可能とされる、新しい段鼻加工機を提供する。【解決手段】階段（１）の段鼻にその前端縁（１１）に平行な溝を加工するための段鼻加工機であって、溝を切削加工するルーター（３）と、このルーター（３）の横方向移動をガイドするガイド治具（４）と、切削加工にともなう切屑を除去する集塵機とを備え、ガイド治具（４）には、階段表面に吸着固定される吸着具（５）が取付けられ、集塵機のコンプレッサー排圧によって吸着具（５）が階段（１）表面に吸着固定されるにともなってガイド治具（４）が位置固定されるようにする。【選択図】        図２
2004270389.tif 000002
【特許請求の範囲】
【請求項１】
階段の段鼻にその前端縁に平行な溝を加工するための段鼻加工機であって、溝を切削加工するルーターと、このルーターの横方向移動をガイドするガイド治具と、切削加工にともなう切屑を除去する集塵機とを備え、ガイド治具には、階段表面に吸着固定される吸着具が取付けられ、集塵機のコンプレッサー排圧による吸引力によって吸着具が階段表面に吸着固定されるにともなってガイド治具が位置固定されることを特徴とする段鼻加工機。
【請求項２】
ガイド治具には横方向ガイド溝が設けられており、ルーター支持部の突起部がこのガイド溝に挿入されてルーターの横方向移動がガイドされることを特徴とする請求項１の段鼻加工機。
【請求項３】
ガイド治具には、奥行き方向の位置決めのための単数または複数の位置決め穴が設けられており、この穴にピンが挿入されて奥行き位置が決められることを特徴とする請求項１または２の段鼻加工機。
【請求項４】
ガイド治具は板状であって、段鼻部と反対側の左右両端が切り欠かれており、まわり階段のように踏み幅が狭い箇所でも加工が可能とされていることを特徴とする請求項１ないし３のいずれかの段鼻加工機。
【発明の詳細な説明】
【０００１】
【発明の属する技術分野】
この出願の発明は、段鼻加工機に関するものである。さらに詳しくは、この出願の発明は、木材や集成材、合成木材等の切削可能な素材を用いた階段に溝加工を施すための加工機具に関するものであって、住宅、商業施設等に既に設置されている階段を取り外すことなく、段鼻部に、滑り止めや暗所で視認できる蓄光材を埋設する等のための溝を任意の位置で簡便に精度良く切削加工を可能とする新しい段鼻加工機に関するものである。
【０００２】
【従来の技術と発明の課題】
近年の高齢化人口の増大にともない、既設の住宅のリフォームを行う際、階段や浴室等にすべり止め材を設置したり、夜間や停電などの際の位置確認のための非常灯を設置するなどの事例が急速に増えつつある。
【０００３】
このような状況において、従来は、既設の階段に滑り止め等のための溝を彫る際には、熟練した職人が位置をマーキングした上で、市販のルーターで切削加工していた。しかしながら、この切削加工には、職人の熟練と高度な手作業が必要であるとともに、削り過ぎや位置の間違えがあった場合には、階段の取り替えを行うしかすべがなかった。
【０００４】
そこで、この出願の発明は、以上のような従来技術の問題点を解消して、階段の段鼻部に、滑り止めや暗所で視認できる蓄光材を埋設する等のための溝を、職人技に過度に依存することなしに、任意の位置で、簡便に精度良く切削加工が可能とされる、新しい段鼻加工機を提供することを課題としている。
【０００５】
【課題を解決するための手段】
この出願の発明は、上記の課題を解決するものとして、第１には、階段の段鼻にその前端縁に平行な溝を加工するための段鼻加工機であって、溝を切削加工するルーターと、このルーターの横方向移動をガイドするガイド治具と、切削加工にともなう切屑を除去する集塵機とを備え、ガイド治具には、階段表面に吸着固定される吸着具が取付けられ、集塵機のコンプレッサー排圧による吸引力によって吸着具が階段表面に吸着固定されるにともなってガイド治具が位置固定されることを特徴とする段鼻加工機を提供する。
【０００６】
また、この出願の発明は、上記加工機について、ガイド治具には横方向ガイド溝が設けられており、ルーター支持部の突起部がこのガイド溝に挿入されてルーターの横方向移動がガイドされることを特徴とする段鼻加工機を、第３には、ガイド治具には、奥行き方向の位置決めのための単数または複数の位置決め穴が設けられており、この穴にピンが挿入されて奥行き位置が決められることを特徴とする段鼻加工機、第４には、ガイド治具は板状であって、段鼻部と反対側の左右両端が切り欠かれており、まわり階段のように踏み幅が狭い箇所でも加工が可能とされていることを特徴とする段鼻加工機を提供する。
【０００７】
【発明の実施の形態】
この出願の発明は上記のとおりの特徴をもつものであるが、以下にその実施の形態について説明する。
【０００８】
添付した図面の図１および図２は、この出願の一実施形態について例示した（Ａ）平面概要図、（Ｂ）正面概要図、そして（Ｃ）側面概要図である。
【０００９】
たとえば、この図１および図２に例示したとおり、この出願の発明の段鼻加工機においては、切削可能な素材を用いた階段（１）の段鼻にその前端縁（１１）に平行な溝（２１）（２２）を加工するための段鼻加工機であって、溝（２１）（２２）を切削加工するルーター（３）と、このルーター（３）の横方向移動をガイドするガイド治具（４）と、切削加工にともなう切屑を除去する集塵機（図示は省略）とを備え、ガイド治具（４）には、階段表面に吸着固定される吸着具（５）が取付けられ、集塵機から分枝された、つまり切削屑を吸引除去するための吸引ホースから分枝されたホース（６）を通じて、集塵のためのコンプレッサー排圧による吸引力によって吸着具（５）が階段（１）表面に吸着固定されるにともなってガイド治具（４）が位置固定されるようにしている。
【００１０】
なお、図１（Ａ）（Ｂ）においては、ルーター（３）が右方向端に移動した後の仮想位置のルーター（３１）を示しており、また、図３においては、ルーター（３）の切削刃については図示を省略し、その回転中心（３２）を例示している。
【００１１】
ルーター（３）はガイド治具（４）に支持され、かつガイドされて横方向移動可能とされており、この横方向移動にともなって、たとえば図１（Ａ）に例示した２条の溝（２１）（２２）を切削加工するようにしている。この際に、ガイド治具（４）は、階段（１）の段鼻部にしっかりと安定して位置固定されていることが、この溝（２１）（２２）の所定位置での精度の良い切削加工を簡便に行うための条件の一つとなる。そこで、この出願の発明の段鼻加工機においては、前記のとおりの吸着具（５）を用いて、これをガイド治具（４）に取付け固定し、集塵機のホース（６）を介しての排圧により吸着具（５）を階段（１）表面に吸着させることで、ガイド治具（４）を所定位置に安定して位置固定するようにしている。
【００１２】
従来の常識的な観点からは、吸着パッド等を用いる場合には真空ポンプの使用が欠かせないと考えられるが、この出願の発明の段鼻加工機においては、このような真空ポンプを用いることなしに、集塵機による排圧の吸引力を用いることが大きな特徴である。そして集塵機の観点からも、通常集塵以外の目的に用いることはないのが実際であることを考慮すると、この出願の発明の段鼻加工機は、その着想と具体的構成において画期的である。
【００１３】
もちろん、集塵機の切削屑を吸引除去するための吸引口部はルーター（３）に装着が可能とされていてよく、この集塵機で切削屑が回収除去される際のコンプレッサーの排圧による吸引力を分枝されたホース（６）を通じて利用することができる。たとえば、図１（Ｂ）に示したように、ルーター（３）には、その刃先部をとり囲むようにしてプラスチック製の集塵カバー（７）が装着される。この集塵カバー（７）で囲まれた空間に飛散する切削屑を吸引口を通じて吸い出すことで集塵が行われる。このときの切削屑を吸引するコンプレッサー排圧による吸引力を分枝されたホース（６）を介して利用するところにこの出願の発明の段鼻加工機の特徴の一つがある。
【００１４】
図１および図２に例示した段鼻加工機では、吸着パッド等の吸着具（５）は、固定金具（５１）により板状のガイド治具（４）に取付け固定されている。
【００１５】
また、ガイド治具（４）には、横方向のガイド溝（４１）が設けられており、ルーター（３）の支持部（３３）の突起部（３４）がこのガイド溝（４１）に挿入され、スライド移動可能とされている。これによって、ルーター（３）の横方向移動がガイドされるようにしている。さらにまた、この例の段鼻加工機では、ガイド治具（４）には、たとえば図１に例示したように、奥行き方向の位置決めのための単数または複数の位置決め穴（４２）（４３）が設けられており、この穴（４２）（４３）にピン（４４）が挿入されて奥行き位置が決められるようにしている。
【００１６】
なお、図（Ａ）および図２には、ガイド治具（４）とルーター（３）の位置を決める際の当て金具（８）を例示してもいる。
【００１７】
実際の切削加工においては、このピン（４４）の挿入によって、ガイド治具（４）の奥行き位置を決めた後に、集塵機コンプレッサーの排圧による吸引力で、吸着具（５）を階段（１）表面に吸着させ、これによってガイド治具（４）を安定して固定することになる。
【００１８】
ルーター（３）については、電動回転機として市販のものを基本的に利用することができ、たとえばその把持部（３５）を手に持って、横方向スライドさせながら溝（２１）（２２）を切削加工することが可能となる。
【００１９】
また、この出願の発明の段鼻加工機の特徴として、たとえば板状のガイド治具（４）において、図１（Ａ）に例示したように、段鼻の前端縁（１１）とは反対側の左右両端に切り欠き（４５）が設けられている。この切り欠き（４５）は、まわり階段のように踏み幅が狭い箇所でも切削加工を可能とするものである。
【００２０】
たとえば以上のような特徴のあるこの出願の発明の構成については、その細部について様々な形態が可能であることは言うまでもない。
【００２１】
【発明の効果】
以上詳しく説明したとおり、この出願の発明によって、階段の段鼻部に、滑り止めや暗所で視認できる蓄光材を埋設する等のための溝を、職人技に過度に依存することなしに、任意の位置で、簡便に精度良く切削加工が可能とされる、新しい段鼻加工機が提供される。
【図面の簡単な説明】
【図１】この発明の一例を示した（Ａ）平面概要図であり、（Ｂ）正面概要図である。
【図２】側面概要図である。
【符号の説明】
１  階段
１１  段鼻の前端縁
２１、２２  溝
３、３１  ルーター
３２  ルーター切削刃の回転中心
３３  支持部
３４  突起部
３５  把持部
４  ガイド治具
４１  ガイド溝
４２、４３  穴
４４  ピン
４５  切り欠き
５  吸着具
５１  固定金具
６  ホース
７  集塵カバー
８  当て金具
【図１】
2004270389.tif 000003
【図２】
2004270389.tif 000004